(57)【要約】【課題】  良好な切断性能を確保しつつ、対象物を切断するために刀体を動かす切断操作を補助することが可能な鋏を提供する。【解決手段】  鋏１００において、第１刀体１の首部１３に第１吸引磁石１４が取り付けられており、第２刀体２の首部２３に第２吸引磁石２４が取り付けられている。第１吸引磁石１４と第２吸引磁石２４とは、互いに異なる磁極が対向するように配置されており、第１吸引磁石１４と第２吸引磁石２４との間で第１刃部と第２刃部２とが閉じる方向へ作用する吸引力が生じる。【選択図】    図１
2010269134.tif 000002
【特許請求の範囲】
【請求項１】
第１刃部が一端側に設けられ、指を通すための指孔が形成された第１保持部が他端側に設けられた第１刀体と、
第２刃部が一端側に設けられ、指を通すための指孔が形成された第２保持部が他端側に設けられ、その長手方向中間部分において、前記第１刀体の長手方向中間部分と回動可能に連結された第２刀体と、
前記第１刀体において、前記第２刀体との連結位置から離隔した位置に取り付けられた第１吸引磁石と、
前記第１刃部と前記第２刃部とが閉じるときに前記第１吸引磁石と互いに異なる磁極が対向するように、前記第２刀体において、前記第１刀体との連結位置から離隔した位置に取り付けられ、前記第１吸引磁石との間で前記第１刃部と前記第２刃部とが閉じる方向へ作用する吸引力を生じる第２吸引磁石と、
前記第１刀体において、前記連結位置より前記第１保持部側の位置に取り付けられた第１反発磁石と、
前記第１刃部と前記第２刃部とが閉じるときに前記第１反発磁石と互いに同一の磁極が対向するように、前記第２刀体において、前記連結位置より前記第２保持部側の位置に取り付けられ、前記第１反発磁石との間で前記第１刃部と前記第２刃部とが開く方向へ作用する反発力を生じる第２反発磁石と、
を備える、鋏。
【請求項２】
前記第１反発磁石は、前記第１刀体において、前記第１吸引磁石が前記第１刀体に取り付けられている位置よりも、前記連結位置からの距離が大きい位置に取り付けられており、
前記第２反発磁石は、前記第２刀体において、前記第２吸引磁石が前記第２刀体に取り付けられている位置よりも、前記連結位置からの距離が大きい位置に取り付けられている、請求項１に記載の鋏。
【請求項３】
前記第１吸引磁石は、前記第１刀体において、前記連結位置より前記第１保持部側の位置に取り付けられており、
前記第２吸引磁石は、前記第２刀体において、前記連結位置より前記第２保持部側の位置に取り付けられている、請求項１又は２に記載の鋏。
【請求項４】
前記第１吸引磁石及び前記第２吸引磁石は、前記第１刃部と前記第２刃部とが所定角度をなして開いているときに互いに正対する平面部をそれぞれ具備する、請求項１乃至３の何れかに記載の鋏。
【請求項５】
前記第１吸引磁石は、前記第１刀体において位置調節可能に取り付けられており、
前記第２吸引磁石は、前記第２刀体において位置調節可能に取り付けられている、請求項１乃至４の何れかに記載の鋏。
【請求項６】
前記第１吸引磁石は、前記第１刀体において着脱可能に取り付けられており、
前記第２吸引磁石は、前記第２刀体において着脱可能に取り付けられている、請求項１乃至５の何れかに記載の鋏。
【請求項７】
前記第１反発磁石は、前記第１刀体において位置調節可能に取り付けられており、
前記第２反発磁石は、前記第２刀体において位置調節可能に取り付けられている、請求項１乃至６の何れかに記載の鋏。
【発明の詳細な説明】
【技術分野】
【０００１】
本発明は、鋏に関し、特に理美容で使用される整髪用の鋏に関する。
【背景技術】
【０００２】
特許文献１には、互いに連通する軸孔が設けられた動刃体と静刃体が設けられ、前記動刃体と静刃体が前記軸孔に軸部材が挿通されＸ状に交差して回動可能に結合されており、前記動刃体と静刃体の互いに対面する面には、前記軸部材の周囲の前記動刃体に第一磁石が設けられ、前記静刃体に第二磁石が設けられた鋏が開示されている。この鋏は、前記第一磁石と第二磁石が、前記動刃体と静刃体を閉じた状態でその互いに異なる極性の磁石が対面する面積が最大となり、所定角度開いた状態では、前記第一磁石と第二磁石の互いに同極性の磁石が対面する面積が最大となるように、第一磁石と第二磁石とが配置されている。これにより、当該鋏は、前記動刃体と静刃体を閉じた状態で第一磁石と第二磁石とが互いに安定に引き合い、所定角度開いた状態では第一磁石と第二磁石とが反発し合い不安定となり、前記動刃体と静刃体が前記反発する位置から引き合う位置へ磁力により自動的に、相対的に回動可能とされている。
【先行技術文献】
【特許文献】
【０００３】
【特許文献１】特開２００６−２９６７０２号公報
【発明の概要】
【発明が解決しようとする課題】
【０００４】
しかしながら、上記特許文献１に開示されている鋏にあっては、動刃体と静刃体が所定角度開いた状態のとき、第一磁石と第二磁石とが反発し合い、動刃体と静刃体とが軸部材の軸長方向へ離反するように磁力が作用する。このため、動刃体と静刃体との間に隙間が生じ、対象物の切断に支障が生じるおそれがあった。
【０００５】
本発明は斯かる事情に鑑みてなされたものであり、その主たる目的は、上記課題を解決することができる鋏を提供することにある。
【課題を解決するための手段】
【０００６】
上述した課題を解決するために、本発明の一の態様の鋏は、第１刃部が一端側に設けられ、指を通すための指孔が形成された第１保持部が他端側に設けられた第１刀体と、第２刃部が一端側に設けられ、指を通すための指孔が形成された第２保持部が他端側に設けられ、その長手方向中間部分において、前記第１刀体の長手方向中間部分と回動可能に連結された第２刀体と、前記第１刀体において、前記第２刀体との連結位置から離隔した位置に取り付けられた第１吸引磁石と、前記第１刃部と前記第２刃部とが閉じるときに前記第１吸引磁石と互いに異なる磁極が対向するように、前記第２刀体において、前記第１刀体との連結位置から離隔した位置に取り付けられ、前記第１吸引磁石との間で前記第１刃部と前記第２刃部とが閉じる方向へ作用する吸引力を生じる第２吸引磁石と、前記第１刀体において、前記連結位置より前記第１保持部側の位置に取り付けられた第１反発磁石と、前記第１刃部と前記第２刃部とが閉じるときに前記第１反発磁石と互いに同一の磁極が対向するように、前記第２刀体において、前記連結位置より前記第２保持部側の位置に取り付けられ、前記第１反発磁石との間で前記第１刃部と前記第２刃部とが開く方向へ作用する反発力を生じる第２反発磁石と、を備える。
【０００７】
上記態様においては、前記第１反発磁石が、前記第１刀体において、前記第１吸引磁石が前記第１刀体に取り付けられている位置よりも、前記連結位置からの距離が大きい位置に取り付けられており、前記第２反発磁石が、前記第２刀体において、前記第２吸引磁石が前記第２刀体に取り付けられている位置よりも、前記連結位置からの距離が大きい位置に取り付けられていることが好ましい。
【０００８】
また、上記態様においては、前記第１吸引磁石が、前記第１刀体において、前記連結位置より前記第１保持部側の位置に取り付けられており、前記第２吸引磁石が、前記第２刀体において、前記連結位置より前記第２保持部側の位置に取り付けられていることが好ましい。
【０００９】
また、上記態様においては、前記第１吸引磁石及び前記第２吸引磁石が、前記第１刃部と前記第２刃部とが所定角度をなして開いているときに互いに正対する平面部をそれぞれ具備することが好ましい。
【００１０】
また、上記態様においては、前記第１吸引磁石が、前記第１刀体において位置調節可能に取り付けられており、前記第２吸引磁石が、前記第２刀体において位置調節可能に取り付けられていることが好ましい。
【００１１】
また、上記態様においては、前記第１吸引磁石が、前記第１刀体において着脱可能に取り付けられており、前記第２吸引磁石が、前記第２刀体において着脱可能に取り付けられていることが好ましい。
【００１２】
また、上記態様においては、前記第１反発磁石が、前記第１刀体において位置調節可能に取り付けられており、前記第２反発磁石が、前記第２刀体において位置調節可能に取り付けられていることが好ましい。
【発明の効果】
【００１３】
本発明に係る鋏によれば、良好な切断性能を確保しつつ、対象物を切断するために刀体を動かす切断操作を補助することが可能となる。
【図面の簡単な説明】
【００１４】
【図１】実施の形態１に係る鋏が閉じた状態のときの当該鋏の全体構成を示す平面図。
【図２】実施の形態１に係る鋏が開いた状態のときの当該鋏の全体構成を示す平面図。
【図３】第１吸引磁石及び第２吸引磁石の取り付け状態を示す鋏の部分拡大平面図。
【図４】実施の形態２に係る鋏の第１吸引磁石の構成を示す平面図。
【図５】図４に示すＡ−Ａ線による断面矢視図。
【図６】実施の形態３に係る鋏の第１吸引磁石の構成を示す平面図。
【図７】図６に示すＢ−Ｂ線による断面矢視図。
【図８】他の実施の形態の鋏の全体構成の一例を示す平面図。
【図９】他の実施の形態の鋏の全体構成の他の例を示す平面図。
【図１０】実施の形態１の変形例に係る鋏が開いた状態のときの当該鋏の全体構成を示す平面図。
【発明を実施するための形態】
【００１５】
以下、本発明の好ましい実施の形態を、図面を参照しながら説明する。
【００１６】
（実施の形態１）
本実施の形態に係る鋏は、回動可能に連結された第１刀体と第２刀体とを備え、第１刀体のハンドル部に第１吸引磁石が取り付けられ、第１吸引磁石と互いに異なる磁極が対向するように第２刀体のハンドル部に第２吸引磁石が取り付けられ、第１吸引磁石及び第２吸引磁石の間で第１刀体及び第２刀体の刃部が互いに重なる方向へ吸引力が生じることにより、切断操作を補助することが可能な鋏である。
【００１７】
図１及び図２は、本実施の形態に係る鋏の全体構成を示す平面図である。本実施の形態に係る鋏１００は、第１刀体１と、第２刀体２とを備えている整髪用の鋏である。第１刀体１と第２刀体２とは、Ｘ字状に交叉するように、それぞれの中間位置で連結ネジ及び調節ナット３によって回動可能に連結されている。
【００１８】
第１刀体１の一端側には第１刃部１１が設けられている。第１刃部１１は一方向へ長く延びており、その一側縁には刃１１ａが形成されている。第１刀体の他端側にはハンドル部１２が設けられている。かかるハンドル部１２には指孔１２ａが設けられており、この指孔１２ａに指を通すことができるようになっている。
【００１９】
第２刀体２の一端側には第２刃部２１が設けられている。第２刃部２１は一方向へ長く延びており、その一側縁には刃２１ａが形成されている。第２刀体の他端側にはハンドル部２２が設けられている。かかるハンドル部２２には指孔２２ａが設けられており、この指孔２２ａに指を通すことができるようになっている。
【００２０】
第１刀体１の第１刃部１１とハンドル部１２との間には連結孔が形成されており、同様に第２刀体２の第２刃部２１とハンドル部２２との間にも連結孔が形成されている（図示せず）。第１刀体１及び第２刀体２は、それぞれの連結孔が同軸上に並ぶように重ねられる。このとき、第１刃部１１及び第２刃部２１は連結孔に対して同一側に位置し、ハンドル部１２及び第２ハンドル部２２はその反対側に位置する。この状態で、第１刀体１及び第２刀体２の連結孔に連結ネジが挿通され（図示せず）、当該連結ネジのネジ部に調節ナット３が螺合され、これによって第１刀体１と第２刀体２とが回動可能に連結される。また、第１刀体１の連結孔の周囲及び第２刀体２の連結孔の周囲にはそれぞれ円環状の凹部が形成されており、これらの凹部に円環状の合成樹脂性ワッシャが配置され（図示せず）、このワッシャを前記連結ネジのネジ部が貫通している（図示せず）。これによって第１刀体１及び第２刀体２が連結ネジを中心として滑らかに回動するようになっている。また、鋏１００においては、調節ナット３の締め付け力を調節することにより、鋏１００の切断能力及び第１刀体１と第２刀体２との回動に要する力を調節可能である。
【００２１】
第１刀体１と第２刀体２とが連結された状態では、ハンドル部１２と第２ハンドル部２２とが同一平面上に並ぶように配置される。したがって、図２に示すように、第１刃部１１と第２刃部２１とが開いている状態から、ハンドル部１２と第２ハンドル部２２とが近接する方向へ第１刀体１と第２刀体２とを相対的に回動させると、ハンドル部１２と第２ハンドル部２２とが当接することとなる（図１参照）。ハンドル部１２の第２ハンドル部側の側面には、第２ハンドル部２２に当接する当接部１２ｂが突設されており、この当接部１２ｂが第２ハンドル部２２に当接する。
【００２２】
図２に示すように、第１刃部１１と第２刃部２１とが開いている状態のときには、刃１１ａの大部分及び刃２１ａの大部分が互いに対向するように露出されており、刃１１ａ及び刃２１ａが調節ナット３の近傍位置において交叉している。この状態からハンドル部１２と第２ハンドル部２２とを近接させると、これにしたがって第１刃部１１と第２刃部２１とが閉じられ、刃１１ａと刃２１ａとの交叉位置が先端側へと移動していく。そして、図１に示すように、当接部１２ｂがハンドル部２２に当接した状態のときには、第１刃部１１と第２刃部２１とが完全に閉じられた状態となり、刃１１ａの全体が刃２１ａの全体を相対的に越える。
【００２３】
図１及び図２に示すように、第１刀体１は、第２刀体２との連結位置３１からハンドル部１２へと続く首部１３を具備し、同様に第２刀体２は、連結位置３１からハンドル部２２へと続く首部２３を具備している。首部１３，２３及びハンドル部１２，２２は、非磁性体のステンレス鋼製（オーステナイト系ステンレス鋼）である。また、首部１３の首部２３との対向面には台座１４ａが設けられており、当該台座１４ａに第１吸引磁石１４が取り付けられている。首部２３の首部１３との対向面には台座２４ａが設けられており、当該台座２４ａに第２吸引磁石２４が取り付けられている。図３は、第１吸引磁石１４及び第２吸引磁石２４の取り付け状態を示す、鋏１００の部分拡大平面図である。図３に示すように、第１吸引磁石１４は直方体形状をなしており、その長手方向が首部１３の長手方向に沿うように配置されている。また、第１吸引磁石１４は、Ｓ極が台座１４ａの取付面側に位置し、Ｎ極が首部２３との対向面側に位置するように台座１４ａを介して首部１３に取り付けられている。第２吸引磁石２４は第１吸引磁石と同一の直方体形状をなしており、長手方向が首部２３の長手方向に沿うように配置され、Ｎ極が台座２４ａの取付面側に位置し、Ｓ極が首部１３との対向面側に位置するように台座２４ａを介して首部２３に取り付けられている。
【００２４】
図３に示すように、第１吸引磁石１４及び第２吸引磁石２４の対向面、即ち第１吸引磁石１４のＮ極面及び第２吸引磁石２４のＳ極面は、鋏１００が若干開いた状態のときに正対する。この第１吸引磁石１４及び第２吸引磁石２４の対向面が正対するときにおける、第１刀体１及び第２刀体２の間の角度は、本実施の形態においては５度である。鋏１００を使用して対象物を切断する際、一般的には第１刀体１及び第２刀体２の間の角度が５度以上となるまで鋏１００が開かれ、その後鋏１００を閉じる操作（以下、「切断操作」という。）が行われる。したがって、第１吸引磁石１４及び第２吸引磁石２４が上記のように配置されていることにより、第１刀体１及び第２刀体２が５度以上開いた状態から第１吸引磁石１４及び第２吸引磁石２４の間に吸引力が発生し、第１刀体１及び第２刀体２が閉じられる過程において徐々に吸引力が増大し、第１刀体１及び第２刀体２の間の角度が５度となったときには第１吸引磁石１４及び第２吸引磁石の間に強い吸引力が発生することになる。このようにして切断操作が補助される。
【００２５】
理美容で使用される整髪用の鋏の場合、頭髪（特に短い頭髪）を切断する際に第１刃部１１と第２刃部２１とが素早く閉じられなければ頭髪が第１刃部１１及び第２刃部２１の間から逃げてしまい、うまく頭髪を切断することができない。このため、整髪用の鋏では、一般的な紙用の鋏及び植木用の鋏よりも素早く切断操作が行われる必要がある。本実施の形態に係る鋏１００では、上記のように第１吸引磁石１４及び第２吸引磁石２４により切断操作が補助されるため、従来に比して容易に素早い切断操作を行うことができる。
【００２６】
また、鋏１００が閉じられた状態のとき、即ち当接部１２ｂが第２ハンドル部２２に当接した状態のとき、第１吸引磁石１４と第２吸引磁石２４とが当接する。このとき、第１刀体１及び第２刀体２の間の角度は０度であり、第１吸引磁石１４のＮ極面及び第２吸引磁石２４のＳ極面がなす角度は５度（−５度）である。したがって、第１吸引磁石１４と第２吸引磁石２４とは、対向面の全面が密着するのではなく、対向面の端縁の角部において当接する。このように、鋏１００が閉じられた状態において、第１吸引磁石１４と第２吸引磁石２４とが当接する面積は非常に小さく、対向面全面が密着する場合に比べて第１吸引磁石１４と第２吸引磁石２４とを小さな力で引き離すことができる。したがって、上記のように第１吸引磁石１４及び第２吸引磁石２４を配置することにより、第１吸引磁石１４と第２吸引磁石２４とによって生じる磁力が鋏１００を開く操作に対して与える影響を抑制することができる。
【００２７】
また、図１及び図２に示すように、ハンドル部１２には台座１５ａを介して第１反発磁石１５が取り付けられており、ハンドル部２２には台座２５ａを介して第２反発磁石２５が取り付けられている。ハンドル部１２の先端部分（連結位置３１から遠い部分）に角柱状の台座１５ａが突設されており、当該台座１５ａの先端に、第１反発磁石１５がハンドル部２２側へ突出するように取り付けられている。一方、ハンドル部２２の先端部分に角柱状の台座２５ａが突設されており、当該台座２５ａの先端部分に、第２反発磁石２５がハンドル部１２側へ突出するように取り付けられている。第１反発磁石１５は円柱形状をなしており、Ｓ極がハンドル部２２との対向面側に位置し、Ｎ極がハンドル部２２との反対面側に位置するように配置されている。第２反発磁石２５も第１反発磁石１５と同様に円柱形状をなしており、Ｓ極がハンドル部１２との対向面側に位置し、Ｎ極がハンドル部１２との反対面側に位置するように配置されている。つまり、第１反発磁石１５及び第２反発磁石２５はＮ極同士が対向しており、互いに反発する磁力を発生している。
【００２８】
図１に示すように、第１反発磁石１５と第２反発磁石２５とは、鋏１００が閉じた状態のときに当接するようにハンドル部１２，２２にそれぞれ取り付けられている。また、第１反発磁石１５及び第２反発磁石２５には、第１吸引磁石１４及び第２吸引磁石２４よりも磁力が小さいものが使用されている。このように第１反発磁石１５及び第２反発磁石２５を設けることにより、ハンドル部１２，２２間を離反させる方向の力が生じ、この力が第１吸引磁石１４及び第２吸引磁石２４の吸引力の一部を打ち消すため、使用者が鋏１００を開く操作を容易に行うことが可能となる。
【００２９】
理美容で使用される整髪用鋏の場合、上記のように切断操作を素早く行うことが必要であるが、整髪を迅速に行うために鋏を開く操作を素早く行うことも重要である。本実施の形態に係る鋏１００では、上記のように第１反発磁石１５及び第２反発磁石２５を備えたことにより鋏１００を開く操作を容易に行うことが可能となる。さらに、鋏１００が切断操作によって完全に閉じられた状態になると、当接部１２ｂがハンドル部２２とが当接し、第１反発磁石１５及び第２反発磁石２５の反発力に加え、その当接したときにおける衝撃によりハンドル部１２，２２間に反発力が生じることになる。これにより、鋏１００を開く操作をより一層容易に行うことができる。
【００３０】
また、理美容で使用される整髪用の鋏においては、他の用途に用いられる鋏に比べて素早く連続して開閉操作が行われることがある。本実施の形態に係る鋏１００では、第１吸引磁石１４及び第２吸引磁石２４による切断操作の補助に加え、上記のように第１反発磁石１５及び第２反発磁石２５を備えたことにより鋏１００を開く操作を容易に行うことが可能となるため、素早く開閉操作を連続して行うことが容易となる。
【００３１】
また上記のように、第１反発磁石１５及び第２反発磁石２５は第１吸引磁石１４及び第２吸引磁石２４よりも連結位置３１から離れた位置に設けられている。したがって、第１反発磁石１５及び第２反発磁石２５の磁力が第１吸引磁石１４及び第２吸引磁石２４の磁力に比べて小さくても、第１反発磁石１５及び第２反発磁石２５によって発生する、ハンドル１２，２２を離反させる方向のトルクは、第１吸引磁石１４及び第２吸引磁石２４によって発生する、ハンドル部１２，２２を近接させる方向のトルクに対して十分に対抗できる大きさとなる。ここで、第１反発磁石１５及び第２反発磁石２５によって発生するトルクが第１吸引磁石１４及び第２吸引磁石２４によって発生するトルクよりも小さくなるように、第１吸引磁石１４及び第２吸引磁石２４、第１反発磁石１５及び第２反発磁石２５、並びにこれらの配置位置が決定される。本実施形態においては、第１反発磁石１５及び第２反発磁石２５によって発生するトルクが第１吸引磁石１４及び第２吸引磁石２４によって発生するトルクの半分の大きさとされている。このように第１反発磁石１５及び第２反発磁石２５を配置することにより、使用者が鋏１００を開く操作をより一層容易に行うことが可能となる。
【００３２】
また、上記のように第１吸引磁石１４及び第２吸引磁石２４が第１反発磁石１５及び第２吸引磁石２５よりも連結位置３１に近接した位置に設けられている。第１刀体１及び第２刀体２は連結位置３１を中心に相対的に回動するため、鋏１００が開いた状態のときには、第１反発磁石１５及び第２反発磁石２５の間の距離は、第１吸引磁石１４及び第２吸引磁石２４の間の距離よりも大きい。したがって、鋏１００が開いている状態では、第１反発磁石１５及び第２反発磁石２５の間で生じる磁力が、第１吸引磁石１４及び第２吸引磁石２４の間に生じる磁力に対して非常に小さくなり、鋏１００を閉じる方向に作用する力を殆ど打ち消さない。このように、本実施の形態に係る鋏１００においては、鋏１００が開いた状態では第１刃部１１及び第２刃部１２が閉じる方向へ力が生じ、使用者による切断操作が補助され、鋏１００が閉じた状態では上記の第１刃部１１及び第２刃部１２が閉じる方向へ作用する力とともにハンドル部１２，２２間を離反させる力が生じ、使用者が鋏１００を開く操作を容易に行うことが可能となる。
【００３３】
また、第１吸引磁石１４及び第２吸引磁石２４の磁力は鋏１００を開閉する平面と平行な方向に作用し、第１反発磁石１５及び第２反発磁石２５の磁力も鋏１００を開閉する平面と平行な方向に作用する。したがって、鋏１００の第１刃部１１及び第２刃部２１を連結ネジの軸長方向、即ち第１刃部１１及び第２刃部２１の重なり方向へ離反させる方向に磁力が作用せず、第１刃部１１及び第２刃部２１の間に前記軸長方向の隙間を生じさせることがない。このため、鋏１００の切断操作において第１刃部１１及び第２刃部２１が確実に擦れ合い、良好な切断性能を確保することが可能である。
【００３４】
本実施の形態では、上述したように、ハンドル部１２の先端部分に角柱状の台座１５ａが突設されており、その台座１５ａの先端に第１反発磁石１５が取り付けられているが、本発明はこのような態様に限定されるわけではない。図１０は、本実施の形態の変形例に係る鋏が開いた状態のときの当該鋏の全体構成を示す平面図である。図１０に示すとおり、変形例においては、ハンドル部１２の先端部分に可撓性を有する板状の台座１５１ａが突設されており、その台座１５１ａの先端に、第１反発磁石１５がハンドル部２２側へ突出するように取り付けられている。この台座１５１ａは、図中の矢印方向に撓むことが可能となっている。また、台座１５１ａは、ハンドル部２２側へ若干傾斜するようにしてハンドル部１２の先端部分に設けられている。鋏１００が閉じた状態のとき、ハンドル部１２の当接部１２ｂがハンドル部２２に当接するとともに、第１反発磁石１５と第２反発磁石２５とが当接する。このとき、台座１５１ａは、ハンドル部２２の反対側（即ちハンドル部１２側）に撓み、ハンドル部２２に向かって弾性的に付勢された状態となる。そのため、その後に鋏１００を開く操作を行う場合、台座１５１ａの付勢力によって当該操作をより一層容易に行うことが可能になる。
【００３５】
なお、上記の変形例において、第１反発磁石１５及び第２反発磁石２５の磁力が比較的大きい場合では、切断操作のとき、第１反発磁石１５と第２反発磁石２５とが当接する前に、これらの第１反発磁石１５及び第２反発磁石２５の反発力によって、台座１５１ａがハンドル部１２側に少し撓むことになる。これにより、切断操作のときに作用する第１反発磁石１５及び第２反発磁石２５の反発力を抑制することができるため、切断操作をより一層容易に行うことが可能になる。
【００３６】
（実施の形態２）
本実施の形態に係る鋏は、第１吸引磁石及び第２吸引磁石の位置調節が可能な鋏である。
【００３７】
図４は、本実施の形態に係る鋏の第１吸引磁石の構成を示す平面図であり、図５は、図４に示すＡ−Ａ線による断面矢視図である。図４及び図５に示すように、本実施の形態に係る第１吸引磁石２１４は、ケース２１４ａにより保持されている。ケース２１４ａは合成樹脂製であり、第２吸引磁石との対向面側が開放された箱状をなしている。図５に示すように、この開口により、第１吸引磁石２１４の第２吸引磁石との対向面が露出された状態となり、またケース２１４ａの開口の周囲の面は、第１吸引磁石２１４の前記対向面と同じ高さとされている。
【００３８】
図４に示すように、ケース２１４ａは、内側の空間２１４ｂに第１吸引磁石２１４を収容するようになっており、この空間２１４ｂの幅が直方体形状の第１吸引磁石２１４の幅と実質的に同一とされている。また、ケース２１４ａの内部空間２１４ｂの長さは、第１吸引磁石２１４の長さの約２倍であり、第１吸引磁石２１４は、内部空間２１４ｂ内において長手方向へ移動可能となっている。第１吸引磁石２１４の両側面には、長手方向中央部分に突起２１４ｃがそれぞれ設けられている。内部空間２１４ｂの両内側面には、長手方向へ等間隔にそれぞれ３つの凹部２１４ｄが設けられており、一対の凹部２１４ｄに上記の突起２１４ｃが係合するようになっている。つまり、第１吸引磁石２１４は、突起２１４ｃがケース２１４ａの長手方向一端側の凹部２１４ｄに係合した第１位置、突起２１４ｃがケース２１４ａの長手方向中央の凹部２１４ｄに係合した第２位置、及び突起２１４ｃがケース２１４ａの長手方向他端側の凹部２１４ｄに係合した第３位置において安定してケース２１４ａに保持され、容易に移動することがない。また、突起２１４ｃの突出高さは僅かであり、ケース２１４ａがある程度柔軟性を有する合成樹脂製であることから、使用者が第１吸引磁石２１４を長手方向へ押すことにより、突起２１４ｃと凹部２１４ｄの係合状態が解除され、第１吸引磁石２１４を移動させることができる。
【００３９】
また図５に示すように、第１吸引磁石２１４の両側面の首部２１３への取付面側端には、第１吸引磁石２１４の全長に亘る板状の突出部２１４ｅが設けられている。一方、ケース２１４ａの内部空間２１４ｂには、開口の反対側、つまり首部２１３側の端部において両側方へ段状に広がっており、凹状の拡大部２１４ｆが設けられている。この拡大部２１４ｆには、第１吸引磁石２１４の突出部２１４ｅが係合し、これによって第１吸引磁石２１４がケース２１４ａから脱落することなく、長手方向へスライド可能となっている。
【００４０】
なお、本実施の形態に係る鋏では、第２吸引磁石も第１吸引磁石２１４と同様の構成で長手方向に位置調節可能に首部２３に取り付けられているため、その説明を省略する。また、本実施の形態に係る鋏のその他の構成は、実施の形態１に係る鋏１００の構成と同様であるので、その説明を省略する。
【００４１】
上記のように第１吸引磁石２１４及び第２吸引磁石の位置調節を可能としたことにより、連結位置３１から第１吸引磁石２１４及び第２吸引磁石までの距離が調節可能となる。これにより、使用者の好みに合わせて第１吸引磁石２１４及び第２吸引磁石により生じる吸引力・トルクを変化させることができる。
【００４２】
（実施の形態３）
本実施の形態に係る鋏は、第１吸引磁石及び第２吸引磁石の着脱が可能な鋏である。
【００４３】
図６は、本実施の形態に係る鋏の第１吸引磁石の構成を示す平面図であり、図７は、図６に示すＢ−Ｂ線による断面矢視図である。図６及び図７に示すように、本実施の形態に係る第１吸引磁石３１４は、ケース３１４ａにより保持されている。ケース３１４ａは合成樹脂製であり、第２吸引磁石との対向面側が開放された箱状をなしている。図７に示すように、この開口により、第１吸引磁石３１４の第２吸引磁石との対向面が露出された状態となり、またケース３１４ａの開口の周囲の面は、第１吸引磁石３１４の前記対向面と同じ高さとされている。
【００４４】
図６に示すように、ケース３１４ａは、内側の空間３１４ｂに第１吸引磁石３１４を収容するようになっており、この空間３１４ｂの幅及び長さが直方体形状の第１吸引磁石３１４の幅及び長さと実質的に同一とされている。第１吸引磁石３１４の両側面には、長手方向中央部分に突起３１４ｃがそれぞれ設けられている。内部空間３１４ｂの両内側面には、長手方向中央部分に凹部３１４ｄが設けられており、これら一対の凹部３１４ｄに上記の突起３１４ｃが係合するようになっている。これによって、第１吸引磁石３１４のケース３１４ａからの脱落が防止される。また、突起３１４ｃの突出高さは僅かであり、ケース３１４ａがある程度柔軟性を有する合成樹脂製であることから、使用者が第１吸引磁石３１４をケース３１４ａの開口側へ引き出すことにより、突起３１４ｃと凹部３１４ｄの係合状態が解除され、第１吸引磁石３１４をケース３１４ａから取り外すことができる。
【００４５】
なお、本実施の形態に係る鋏では、第２吸引磁石も第１吸引磁石３１４と同様の構成でケースに着脱可能とされているため、その説明を省略する。また、本実施の形態に係る鋏のその他の構成は、実施の形態１に係る鋏１００の構成と同様であるので、その説明を省略する。
【００４６】
本実施の形態に係る鋏においては、磁力の強さが異なる複数対の第１吸引磁石及び第２吸引磁石を備えている。使用者は、好みの磁力の強さの第１吸引磁石及び第２吸引磁石を選び、それぞれ第１吸引磁石用のケース３１４ａ及び第２吸引磁石用のケースに取り付けることが可能である。このように第１吸引磁石及び第２吸引磁石を交換することにより、使用者の好みに合わせて第１吸引磁石及び第２吸引磁石により生じる吸引力・トルクを変化させることができる。
【００４７】
（その他の実施の形態）
なお、上述した実施の形態においては、第１吸引磁石及び第２吸引磁石の対向面はそれぞれ露出されており、鋏を閉じた状態のときには第１吸引磁石及び第２吸引磁石が直接当接する構成について述べたが、これに限定されるものではない。第１吸引磁石及び第２吸引磁石を開口していない箱状のケースに収納したり、それぞれの対向面にシートを貼り付けたりすることにより、鋏を閉じた状態のときに、第１吸引磁石と第２吸引磁石とが直接当接しない構成とすることもできる。このように構成することで、鋏を閉じた状態のときに第１吸引磁石と第２吸引磁石とが密着せず、第１吸引磁石と第２吸引磁石とを小さな力で引き離すことができる。
【００４８】
また、第１吸引磁石及び第２吸引磁石の対向面はそれぞれ露出されているが、鋏を閉じた状態のときに第１吸引磁石と第２吸引磁石とが所定距離離隔するように第１吸引磁石及び第２吸引磁石を取り付けてもよい。このようにすることによっても、鋏を閉じた状態のときに第１吸引磁石と第２吸引磁石とが密着せず、第１吸引磁石と第２吸引磁石とを小さな力で引き離すことができる。
【００４９】
また、上述した実施の形態においては、理美容で使用される整髪用の鋏の構成について述べたが、これに限定されるものではない。紙用鋏、植木用鋏等の他の用途の鋏を、上述した実施形態と同様の構成としてもよい。
【００５０】
また、上述した実施の形態においては、第１吸引磁石及び第２吸引磁石の対向面同士が、鋏を閉じた状態のときに５度（−５度）をなし、対向面の端縁の角部において当接する構成について述べたが、これに限定されるものではない。鋏を閉じた状態のときに、第１吸引磁石及び第２吸引磁石の対向面同士が平行となり、それぞれの対向面の実質的に全面において密着する構成としてもよい。また、鋏の第１刀体及び第２刀体の間の角度が５度以外のときに、第１吸引磁石及び第２吸引磁石の対向面が正対する構成としてもよい。この場合において、鋏を使用して対象物を切断する際、一般的には第１刀体及び第２刀体の間の角度が５〜３０度以上となるまで鋏が開かれ、その後切断操作が行われることから、第１吸引磁石及び第２吸引磁石の対向面が正対するときにおける第１刀体及び第２刀体の間の角度は０度以上３０度以下であることが好ましい。
【００５１】
また、上述した実施の形態においては、第１反発磁石及び第２反発磁石の磁力によって生じる、鋏を開く方向に作用するトルク（以下、「吸引トルク」という）が、第１吸引磁石及び第２吸引磁石の磁力によって生じる、鋏を閉じる方向に作用するトルク（以下、「反発トルク」という）の半分の大きさとなるように、第１吸引磁石及び第２吸引磁石の磁力、第１反発磁石及び第２反発磁石の磁力、並びにこれらの配置位置が決定されているが、これに限定されるものではなく、反発トルクの大きさが、吸引トルクの大きさの半分以外であってもよい。しかし、反発トルクが吸引トルクより大きければ、自然状態（鋏に外力が作用しない状態）において鋏が開いたままの状態となってしまうため、反発トルクと吸引トルクとが等しい大きさであるか、反発トルクが吸引トルクよりも小さくなるように、第１吸引磁石及び第２吸引磁石の磁力、第１反発磁石及び第２反発磁石の磁力、並びにこれらの配置位置が決定されていることが好ましい。
【００５２】
また、上述した実施の形態においては、第１吸引磁石及び第２吸引磁石を一対の首部の対向面にそれぞれ取り付け、第１反発磁石及び第２反発磁石を一対のハンドル部の先端にそれぞれ取り付ける構成について述べたが、これに限定されるものではない。第１吸引磁石及び第２吸引磁石、並びに第１反発磁石及び第２反発磁石を、上記の位置とは異なる位置に取り付けてもよい。例えば、第１吸引磁石及び第２吸引磁石をハンドル部に取り付けてもよいし、第１反発磁石及び第２反発磁石を首部に取り付けてもよい。また、第１吸引磁石及び第２吸引磁石を第１刃部及び第２刃部に取り付けてもよいし、第１反発磁石及び第２反発磁石を第１刃部及び第２刃部に取り付けてもよい。しかし、上記のように鋏が開いた状態では第１刃部及び第２刃部が閉じる方向へ力が生じ、これにより使用者による切断操作が補助され、鋏が閉じた状態では第１刃部及び第２刃部が閉じる方向へ作用する力とともに一対のハンドル部間を離反させる力が生じ、これにより使用者が鋏を開く操作を容易に行うことを可能とするために、第１吸引磁石及び第２吸引磁石の磁力を第１反発磁石及び第２反発磁石の磁力よりも大きくし、第１吸引磁石及び第２吸引磁石を、第１反発磁石及び第２反発磁石よりも連結位置３１に近接した位置に取り付ける構成とすることが好ましい。
【００５３】
また、上述のように第１吸引磁石及び第２吸引磁石を第１刃部及び第２刃部に取り付ける場合には、第１吸引磁石は、第１刃部の外側面、即ち第１刃部の第２刃部と接触する面の反対側の面に取り付けられ、第２吸引磁石は、第２刃部の外側面に取り付けられる。さらに、第１吸引磁石は、鋏が開いた状態のときに第１刃部の刃側に特定の磁極（例えばＳ極）が向くように配置され、第２吸引磁石は、鋏が開いた状態のときに第２刃部の刃側に前記特定の磁極と異なる磁極（例えばＮ極）が向くように配置される。これにより、鋏が開いた状態のときに第１吸引磁石及び第２吸引磁石の間に吸引力が作用することとなる。また、かかる構成とすれば、第１吸引磁石と第２吸引磁石とが第１刀体及び第２刀体の重なり方向に離隔して配置されるため、鋏が開いた状態のときに、第１吸引磁石及び第２吸引磁石の間には第１刃部と第２刃部とが重なる方向に作用する吸引力も生じることとなる。このため、第１刃部と第２刃部とが確実に擦れ合い、より一層良好な切断性能を確保することができる。またこの場合において、第１刃部及び第２刃部がフェライト系ステンレス鋼等の磁性体であれば、第１吸引磁石及び第２吸引磁石の磁力によってこれらの磁石を第１刃部及び第２刃部に取り付けることが可能となる。したがって、第１吸引磁石及び第２吸引磁石を取り付けるための部品又は接着剤等が必要なく、しかも容易に第１吸引磁石及び第２吸引磁石の取り外し及び位置調節が可能となる。また、これに限定されず、第１刃部及び第２刃部それぞれに第１吸引磁石及び第２吸引磁石を取り付けるための部材を設け、この部材により第１吸引磁石及び第２吸引磁石の位置調節が可能な構成とすることもできる。
【００５４】
また、上述した実施の形態２においては、第１吸引磁石２１４及び第２吸引磁石をケース２１４ａの内部空間において移動可能とすることにより、第１吸引磁石２１４及び第２吸引磁石を位置調節可能とした構成について述べ、実施の形態３においては、第１吸引磁石３１４及び第２吸引磁石をケース３１４ａに着脱可能とすることにより、第１吸引磁石及び第２吸引磁石を交換可能とした構成について述べたが、これらの構成に限定されるものではない。第１吸引磁石及び第２吸引磁石を着脱可能とし、且つ、第１吸引磁石及び第２吸引磁石の位置調節を可能とした構成とすることもできる。例えば、磁力の強さが異なる複数対の第１吸引磁石及び第２吸引磁石を備え、ケースに第１吸引磁石（第２吸引磁石）よりも長手方向に長い内部空間を設け、この内部空間の任意の位置に第１吸引磁石（第２吸引磁石）を着脱可能な構成としてもよい。これにより、使用者は自分の好みの磁力の強さの第１吸引磁石及び第２吸引磁石を選択し、選択した第１吸引磁石及び第２吸引磁石をケースの内部空間の好みの位置に取り付けることで、第１吸引磁石及び第２吸引磁石により生じる吸引力・トルクをきめ細かく調節することができる。
【００５５】
また、上述した実施の形態２においては、第１吸引磁石２１４及び第２吸引磁石をケース２１４ａの内部空間において長手方向に移動可能な構成について述べたが、これに限定されるものではない。第１吸引磁石を第１刀体の長手方向に交叉する方向へ移動可能とし、第２吸引磁石を第２刀体の長手方向に交叉する方向へ移動可能としてもよい。また、上述した実施の形態３においては、第１吸引磁石３１４及び第２吸引磁石をケース３１４ａの内部空間の長手方向の任意の位置に着脱可能な構成について述べたが、これに限定されるものではない。第１吸引磁石を第１刀体の長手方向に交叉する方向の任意の位置に着脱可能とし、第２吸引磁石を第２刀体の長手方向に交叉する方向の任意の位置に着脱可能としてもよい。このようにすることによっても、第１吸引磁石と第２吸引磁石との相対的位置関係を調節することができ、第１刀体及び第２刀体に作用する吸引力・吸引トルクの大きさを調節することができる。
【００５６】
また、上述した実施の形態においては、第１反発磁石１５及び第２反発磁石２５が、ハンドル部１２及び２２に固定的に取り付けられている構成について述べたが、これに限定されるものではない。第１反発磁石を第１刀体に位置調節可能に取り付け、第２反発磁石を第２刀体に位置調節可能に取り付けてもよい。この場合、第１反発磁石及び第２反発磁石を、実施の形態２で説明した第１吸引磁石２１４と同様に、ケース内でスライド可能な構成とすることができる。また、第１反発磁石を第１刀体に着脱可能に取り付け、第２反発磁石を第２刀体に着脱可能に取り付け、第１反発磁石及び第２反発磁石を交換可能な構成としてもよい。この場合、第１反発磁石及び第２反発磁石を、実施の形態３で説明した第１吸引磁石３１４と同様に、首部に設けられたケースに着脱可能な構成とすることができる。さらに、第１反発磁石及び第２反発磁石を着脱可能とし、且つ、第１反発磁石及び第２反発磁石の位置調節を可能とした構成とすることもできる。このようにすることにより、第１反発磁石及び第２反発磁石により生じる反発力・トルクを使用者の好みに応じて調節することが可能となる。
【００５７】
また、上述した実施の形態においては、第１吸引磁石及び第２吸引磁石が互いに正対し、第１反発磁石及び第２反発磁石が互いに正対する構成について述べたが、これに限定されるものではない。第１吸引磁石及び第２吸引磁石は、吸引力を生じる程度に刀体の長手方向にずれて配置されていてもよい。ここにいう「対向」とは、第１刀体及び第２刀体が開いている状態のときにおいて、第１吸引磁石の第１磁極（例えばＳ極）が第２刀体のハンドル部側を向いており、第２吸引磁石の第２磁極（例えばＮ極）が第１刀体のハンドル部側を向いていれば、第１吸引磁石及び第２吸引磁石が、第１刀体及び第２刀体が閉じた状態のときにおいて、刀体の長手方向に互いにずれた位置に配置されている場合を含む概念である。
【００５８】
また、第１反発磁石１５とハンドル部１２との間にバネを介装し、第２反発磁石２５とハンドル部２２との間にバネを介装して、ハンドル部１２及びハンドル部２２の間に発生する反発力を調節してもよい。
【００５９】
また、上述した実施の形態においては、首部に第１吸引磁石及び第２吸引磁石が設けられ、ハンドル部に第１反発磁石及び第２反発磁石が設けられた構成について述べたが、これに限定されるものではない。上記の磁石の他、第１刃部及び第２刃部に一対の磁石を取り付ける構成としてもよい。ここで、第１刃部に取り付けられる磁石は、第１刃部の外側面、即ち第１刃部の第２刃部と接触する面の反対側の面に取り付けられ、第２刃部に取り付けられる磁石は、第２刃部の外側面に取り付けられる。さらに、一対の磁石は、磁極方向が、第１刃部と第２刃部とが重なる方向と一致するように配置され、第１刃部に取り付けられる磁石における第１刃部側の磁極と、第２刃部に取り付けられる磁石における第２刃部側の磁極とが異極同士となるように配置される。これにより、一対の磁石間には第１刃部と第２刃部とが重なる方向に作用する吸引力が生じ、第１刃部と第２刃部とが確実に擦れ合い、より一層良好な切断性能を確保することができる。またこの場合において、第１刃部及び第２刃部がスレンレス鋼等の磁性体であれば、一対の磁石の磁力によってこれらの磁石を第１刃部及び第２刃部に取り付けることが可能となる。したがって、磁石を取り付けるための部品又は接着剤等が必要なく、しかも容易に磁石の取り外し及び位置調節が可能となる。また、これに限定されず、第１刃部及び第２刃部それぞれに磁石を取り付けるための部材を設け、この部材により磁石の位置調節が可能な構成とすることもできる。
【００６０】
また、第１反発磁石を第１刀体の長手方向に交叉する方向へ移動可能とし、第２反発磁石を第２刀体の長手方向に交叉する方向へ移動可能としてもよい。また、第１吸引磁石を第１刀体の長手方向に交叉する方向の任意の位置に着脱可能とし、第２吸引磁石を第２刀体の長手方向に交叉する方向の任意の位置に着脱可能としてもよい。このようにすることによっても、第１反発磁石と第２反発磁石との相対的位置関係を調節することができ、第１刀体及び第２刀体に作用する反発力・反発トルクの大きさを調節することができる。
【００６１】
また、上述した実施の形態においては、第１吸引磁石及び第２吸引磁石並びに第１反発磁石及び第２反発磁石を備える構成の鋏について述べたが、これに限定されるものではない。図８に示すように、第１吸引磁石及び第２吸引磁石を備え、第１反発磁石及び第２反発磁石を備えない構成とすることもできる。これによっても、上述したように第１吸引磁石及び第２吸引磁石によって第１刀体及び第２刀体間に吸引力が発生し、切断操作が補助され、素早い切断操作が可能となる。
【００６２】
また、上述した実施の形態１においては、第１吸引磁石１４を、鋏１００の首部１３に固定的に設けられた台座１４ａに取り付け、第２吸引磁石２４を、鋏１００の首部２３に固定的に設けられた台座２４ａに取り付け、第１反発磁石１５を、鋏１００のハンドル部１２に固定的に設けられた台座１５ａに取り付け、第２反発磁石２５を、鋏１００のハンドル部２２に固定的に設けられた台座２５ａに取り付けた構成について述べたが、これに限定されるものではない。図９は、他の実施の形態の鋏の全体構成の他の例を示す平面図である。この図９に示した鋏においては、首部４１３に第１吸引磁石４１４が直接固着され、首部４２３に第２吸引磁石４２４が直接固着されている。また、ハンドル部４１２の先端に延長部４１５ａが設けられ、延長部４１５ａに第１反発磁石４１５が直接固着されている。ここで、延長部４１５ａとハンドル部４１２の他の部分とは一体成形されている。同様に、ハンドル部４２２の先端に延長部４２５ａが設けられ、延長部４２５ａに第２反発磁石４２５が直接固着されている。延長部４１５ａと同様に、延長部４２５ａとハンドル部４２２の他の部分とは一体成形されている。このように、第１吸引磁石、第２吸引磁石、第１反発磁石、及び第２反発磁石を、台座を介することなく直接第１刀体及び第２刀体に固着することもできる。
【００６３】
また、図９に示したような延長部４１５ａ，４２５ａをハンドル部４１２，４２２の先端部分から延設し、又は図１に示したような台座１５ａ，２５ａをハンドル部１２，２２の先端側から突設し、延長部４１５ａ，４２５ａ又は台座１５ａ，２５ａに第１反発磁石及び第２反発磁石を設ける構成とすることで、ハンドル部の刀体長手方向中間位置に第１反発磁石及び第２反発磁石を取り付ける構成よりも、連結位置３１から第１反発磁石及び第２反発磁石までの距離を大きくすることができ、第１反発磁石及び第２反発磁石の磁力により生じるトルクを大きくすることができる。
【００６４】
また、図９に示した構成では、鋏が閉じた状態のときに第１反発磁石４１５及び第２反発磁石４２５が互いに当接せず、所定距離離隔している。このように、鋏が閉じた状態のときに、第１反発磁石及び第２反発磁石が離隔していてもよく、かかる状態においても第１反発磁石及び第２反発磁石の磁力により両ハンドル部に互いに反発する力を作用させることが可能である。
【００６５】
また、上述した実施の形態３においては、一方の首部に固着されたケース３１４ａに第１吸引磁石３１４を着脱可能に取り付け、他方の首部に固着されたケースに第２吸引磁石を着脱可能に取り付ける構成について述べたが、これに限定されるものではない。一方の首部に巻回することにより当該首部に取り付け可能な合成樹脂製のケースを設け、このケースに第１吸引磁石を収容し、他方の首部に巻回することにより当該首部に取り付け可能な合成樹脂製のケースを設け、このケースに第２吸引磁石を収容し、両ケースを対応する首部に取り付けることによって、第１吸引磁石及び第２吸引磁石を第１刀体及び第２刀体に取り付ける構成としてもよい。さらに、一方のハンドル部に設けられた延長部に巻回することにより当該延長部に取り付け可能な合成樹脂製のケースを設け、このケースに第１反発磁石を収容し、他方のハンドル部に設けられた延長部に巻回することにより当該延長部に取り付け可能な合成樹脂製のケースを設け、このケースに第２反発磁石を収容し、両ケースを対応する延長部に取り付けることによって、第１反発磁石及び第２反発磁石を第１刀体及び第２刀体に取り付ける構成とすることもできる。このようにすることにより、第１刀体及び第２刀体からケースと共に磁石を取り外すことができ、磁石を着脱するためのケースが第１刀体及び第２刀体に残らないため、磁石を取り外したときにおいて鋏の美観を良好にすることができる。
【００６６】
また、上述した実施の形態においては、首部及びハンドル部を非磁性体のステンレス鋼製とする構成について述べたが、これに限定されるものではない。首部及びハンドル部を非磁性体の他の金属又は合成樹脂製としてもよいし、磁性体のステンレス鋼又は他の金属磁性材料製としてもよい。
【産業上の利用可能性】
【００６７】
本発明の鋏は、特に理美容で使用される整髪用の鋏として有用である。
【符号の説明】
【００６８】
１００      鋏
１      第１刀体
１１      第１刃部
１２      ハンドル部
１２ａ      指孔
１２ｂ      当接部
１３      首部
１４      第１吸引磁石
１４ａ      台座
１５      第１反発磁石
１５ａ，１５１ａ      台座
２      第２刀体
２１      第２刃部
２２      ハンドル部
２２ａ      指孔
２３      首部
２４      第２吸引磁石
２４ａ      台座
２５      第２反発磁石
２５ａ      台座
３      調節ナット
３１      連結位置
２１３      首部
２１４      第１吸引磁石
２１４ａ      ケース
３１４      第１吸引磁石
３１４ａ      ケース
【図１】
2010269134.tif 000003
【図２】
2010269134.tif 000004
【図３】
2010269134.tif 000005
【図４】
2010269134.tif 000006
【図５】
2010269134.tif 000007
【図６】
2010269134.tif 000008
【図７】
2010269134.tif 000009
【図８】
2010269134.tif 000010
【図９】
2010269134.tif 000011
【図１０】
2010269134.tif 000012